(57)【要約】      （修正有）【課題】従来、子供をチャイルドシートに着座させる際、子供を一旦高く持ち上げた後、チャイルドシートに降ろす必要があり、力仕事であった。そこで、楽に子供を着座させられる構造のチャイルドシートを提供する。【解決手段】「へり」のあるバケット型のチャイルドシート１の代わりに「へり」のない板状の座部２と座部２前方に支柱１０を設けその支柱１０より子供が着座した際に子供を取り囲むように握り部兼セーフガード９を設け、背もたれ部６を水平位置まで傾倒可能な構造と背もたれ部６を座席下部に収納可能とする機能を有すことにより、子供を乗せる際、座部２の高さに子供の股部まで持ち上げ、チャイルドシート１後方より子供を座部２に跨がせ、前方方向へ子供を水平移動して着座させることを可能とする。【選択図】図１
2010247809.tif 000002
【特許請求の範囲】
【請求項１】
座部（２）と座部（２）前方の握り部兼セーフガード支柱（１０）により座部（２）上方を水平に取り囲む握り部兼セーフガード（９）を設け、座部（２）後方に水平位置まで傾倒可能かつ座部下部に収納可能な背もたれ部（６）を有することを特徴とする自転車用チャイルドシート。
【発明の詳細な説明】
【技術分野】
【０００１】本発明は、自転車後部荷台に取付け子供を同乗させる為の自転車用チャイルドシートに関するものである。
【背景技術】
【０００２】従来、自転車後部荷台に取付け子供を同乗させる為の自転車用チャイルドシートは左右の「へり」を高くして着座した子供の安定性を高めるバケット型の座席部と、走行中、体を安定させるために握る握り部から構成されている。なお、荷台に取付けるチャイルドシートとしては（特許文献１参照）が知られている。また、このようなチャイルドシートにおいて、子供を乗せ易くしたものとして（特許文献２参照）、（特許文献３参照）がある。
【先行技術文献】
【０００３】
【特許文献１】特開昭５７−１６４８６８
【特許文献２】特開２００２−１１４１８１
【特許文献３】特開２００４−０３４９２１
【発明の概要】
【発明が解決しようとする課題】
【０００４】上記特開昭５７−１６４８６８など従来の自転車後部に設置するチャイルドシートでは、子供をチャイルドシートに着座させる際、子供を一旦チャイルドシートの「へり」または背もたれ部の高さの上につま先まで持ち上げた後、チャイルドシートに降ろす必要があり、子供をチャイルドシートに乗せ難く、かつ、力仕事であるという欠点があった。上記特開２００２−１１４１８１では、サイドガードを退避させることにより子供を着座させる際つま先の高さを座部と同じ位置まで持ち上げればよく、上記特開昭５７−１６４８６８など従来のチャイルドシートに比べ力仕事を軽減しているが、依然として子供のつま先の高さを座部まで持ち上げる必要があり、力仕事であるという欠点がある。上記特開２００４−０３４９２１ではハンドル部を前側に引き倒すことで子供の乗降を容易にしているが、自転車後部に設置して使用する際には、自転車側面より自転車の後部車輪あるいは泥除けの高さより上に子供のつま先位置が来るように持ち上げ自転車を跨るように子供を着座させる必要があり、依然として力仕事であるという欠点を残している。
【課題を解決するための手段】
【０００５】そこで本発明では、「へり」のあるバケット型のチャイルドシートの代わりに「へり」のない板状の座部と座部前方に支柱を設け、その支柱より子供が着座した際に子供の胴体を取り囲むように握り部兼セーフガードを設け、背もたれ部を水平位置まで傾倒可能な構造と背もたれ部を座部下部に収納可能とする機能を有すことにより、子供を乗せる際、チャイルドシート座部の高さに子供の股部まで持ち上げ、チャイルドシート後方より子供を座部に跨がせ、前方方向へ子供を水平移動して着座させることを可能とするチャイルドシートを提供する。
【発明の効果】
【０００６】従来のチャイルドシートでは、子供を着座させる際、つま先位置をチャイルドシートの座部、あるいは「へり」、あるいは背もたれ部より高い位置まで持ち上げる必要があったが、本発明では、子供の股部を座部の高さまで持ち上げ、子供の両脚を左右に開脚させ、つま先部分は座部より低い位置に保ったまま、座部後方より子供を座部前方に水平移動させ座部に跨がせればよい。また、子供を跨がせる際に背もたれ部を座部下部に収納することにより、背もたれ部が邪魔にならず、子供を水平移動させる距離を短く出来、子供をチャイルドシートに着座させる労力を軽減することが出来る。また、従来のチャイルドシートのようにチャイルドシート側面からつま先位置を座部の高さを越えるようにして着座する必要がないことから、子供の年齢によっては、自力で容易に着座することが出来る。
【図面の簡単な説明】
【０００７】
【図１】  本発明の斜視図
【図２】  本発明の平面図
【図３】  背もたれ部が水平位置まで傾倒し座部下部に収納可能なことを示す側面図
【図４】  背もたれ部を座部下部に収納させた状態を示す側面図
【図５】  ロックの側面図
【発明を実施するための形態】
【０００８】本発明では、自転車後部荷台にチャイルドシート（１）を設置する。チャイルドシート（１）は子供が跨り着座する座部（２）、転落を防止する握り部兼セーフガード（９）、シートベルト（４）、座部後方に設置する回転機構（８）により垂直位置から水平位置まで傾倒可能でスライド機構（５）により座部（２）下部に収納可能な背もたれ部（６）、背もたれ部（６）を固定するロック（７）、足置き（３）等から構成される。背もたれ部（６）はロック（７）を解除した状態では垂直位置から水平位置まで可動し、垂直位置ではロック（７）により固定される。握り部兼セーフガード（９）は握り部兼セーフガード開閉機構（１３）を握り部兼セーフガード支柱（１０）と握り部兼セーフガード（９）との接合部に設けることにより水平位置から握り部兼セーフガード開閉機構（１３）を軸として前方上方へ開放できる。
【実施例】
【０００９】子供を座部（２）に着座させる際には、背もたれ部（６）を垂直位置に固定しているロック（７）を解除し、背もたれ部（６）を水平位置まで傾倒した状態で、座部（２）下部に装着したスライド機構（５）により座部（２）下部に収納する。この状態で座部（２）の後方より子供の股部が座部（２）の高さになるまで子供を持ち上げ、子供の両脚を開脚して子供を座部（２）に跨がせ、背もたれ部（６）に設けた取手（１２）を持って座部（２）下部より水平方向後方へ引き出し、背もたれ部（６）を垂直位置まで起こし、背もたれ部（６）左右のロック（７）により背もたれ部（６）を固定する。子供は座部（２）に装着したシートベルト（４）により固定する。握り部兼セーフガード（９）および背もたれ部（６）が着座した子供の胴体を取り囲み、子供がチャイルドシート（１）から転落することを防止する。なお、握り部兼セーフガード（９）は握り部兼セーフガード開閉機構（１３）を軸として前側上方に開放可能とすることで、子供の乗降を容易とするが、握り部兼セーフガード（９）を水平位置に固定して使用することを妨げるものではない。
【符号の説明】
【００１０】（１）チャイルドシート、（２）座部、（３）足置き、（４）シートベルト、（５）スライド機構、（６）背もたれ部、（７）ロック、（８）回転機構、（９）握り部兼セーフガード、（１０）握り部兼セーフガード支柱、（１１）背もたれ部支柱、（１２）取手、（１３）握り部兼セーフガード開閉機構
【図１】
2010247809.tif 000003
【図２】
2010247809.tif 000004
【図３】
2010247809.tif 000005
【図４】
2010247809.tif 000006
【図５】
2010247809.tif 000007